(57)【要約】【課題】組み立ての作業性及びメンテナンスの作業性の良好なアンテナ装置を提供すること。【解決手段】アンテナ装置は、周縁部に間隔をおいて設けられた複数の第１嵌合部を有するアンテナベースと、前記アンテナベースに固定されたアンテナケースと、前記アンテナベース及び前記アンテナケースによって囲まれた空間に配置されたアンテナ部と、前記周縁部に配置され前記複数の第１嵌合部と嵌合する複数の第２嵌合部を有するカバー部材と、を備える。【選択図】図３
2018113596.tif 000002
【特許請求の範囲】
【請求項１】
周縁部に間隔をおいて設けられた複数の第１嵌合部を有するアンテナベースと、
前記アンテナベースに固定されたアンテナケースと、
前記アンテナベース及び前記アンテナケースによって囲まれた空間に配置されたアンテナ部と、
前記周縁部に配置され前記複数の第１嵌合部と嵌合する複数の第２嵌合部を有するカバー部材と、
を備えることを特徴とするアンテナ装置。
【請求項２】
前記カバー部材は、弾性を有することを特徴とする請求項１に記載のアンテナ装置。
【請求項３】
前記複数の第１嵌合部の各々は、凹形状部を含み、
前記複数の第２嵌合部の各々は、前記凹形状部と嵌合する柱状部を含むことを特徴とする請求項１又は２に記載のアンテナ装置。
【請求項４】
前記カバー部材は、
前記周縁部に配置され、前記複数の第２嵌合部の各々の前記柱状部の一方に接続された脚部と、
前記複数の第２嵌合部の各々の前記柱状部の他方を連結する連結部と、をさらに有することを特徴とする請求項３に記載のアンテナ装置。
【請求項５】
前記第１嵌合部は、前記第２嵌合部を係止することを特徴とする請求項４に記載のアンテナ装置。
【請求項６】
前記凹形状部は、前記第２嵌合部を前記第１嵌合部に押し込む第１方向において、前記凹形状部の凹部の幅が位置によって異なる形状を有することを特徴とする請求項５に記載のアンテナ装置。
【請求項７】
前記柱状部は、前記第２嵌合部を前記第１嵌合部に押し込む第１方向において、前記柱状部の幅が位置によって異なる形状を有することを特徴とする請求項５又は６に記載のアンテナ装置。
【請求項８】
前記アンテナベースは、前記カバー部材を係止し、
前記アンテナベースの前記周縁部は、前記第１方向において、前記アンテナベースの断面視における厚さが位置によって異なる形状を有し、
前記脚部と前記連結部との間隔は、前記第１方向において、位置によって異なることを特徴とする請求項６又は７に記載のアンテナ装置。
【請求項９】
前記複数の第１嵌合部の各々は、凸形状部を含み、
前記複数の第２嵌合部の各々は、前記凸形状部と嵌合する凹形状部又は前記凸形状部と嵌合し前記カバー部材を貫通する貫通孔を含むことを特徴とする請求項１又は２に記載のアンテナ装置。
【請求項１０】
前記第１嵌合部は、前記第２嵌合部を係止することを特徴とする請求項９に記載のアンテナ装置。
【請求項１１】
前記凹形状部又は前記貫通孔は、前記第２嵌合部を前記第１嵌合部に押し込む第１方向において、前記凹形状部の凹部の幅又は前記貫通孔の孔部の幅が位置によって異なる形状を有することを特徴とする請求項１０に記載のアンテナ装置。
【請求項１２】
前記凸形状部は、前記第２嵌合部を前記第１嵌合部に押し込む第１方向において、前記凸形状部の幅が位置によって異なる形状を有することを特徴とする請求項１０又は１１に記載のアンテナ装置。
【請求項１３】
前記アンテナケースは、前記第１嵌合部と前記第２嵌合部との嵌合が外れることを抑制するリブを有することを特徴とする請求項１乃至１２のいずれか一に記載のアンテナ装置。
【請求項１４】
前記リブは、前記第２嵌合部を基準として前記第１嵌合部の反対側に配置されていることを特徴とする請求項１３に記載のアンテナ装置。
【請求項１５】
前記アンテナベースと前記アンテナケースとが固定される位置は、前記第１嵌合部と前記第２嵌合部とが嵌合する位置よりも前記アンテナベースの内側であることを特徴とする請求項１乃至１４のいずれか一に記載のアンテナ装置。
【発明の詳細な説明】
【技術分野】
【０００１】
本発明は、アンテナ装置に関する。特に、車両のルーフ上に装着するアンテナ装置に関する。
【背景技術】
【０００２】
車両に搭載されるアンテナ装置として、車両のルーフ上に装着されるアンテナ装置が多種多様の車両に適用されてきている。車両のルーフ上に装着されるアンテナ装置は、車両の美的外観が損なわれないデザイン、又は車両の走行中における空力特性を向上させるデザインが求められている。上記のアンテナ装置として、シャークフィンアンテナと呼ばれる車両の前方ほど細くなる流線型のアンテナ装置の開発が進められている。シャークフィンアンテナのアンテナケースは外部からの圧力や衝撃による破損を抑制するため、強度の高い樹脂材料で形成されている。しかし、そのアンテナケースと車両ルーフとが接触すると車両ルーフに傷がついてしまうため、アンテナケースと車両ルーフとの間には、両者の間隔を保持し、アンテナケースと車両ルーフとの間の隙間を目隠しするカバー部材が配置される（例えば、特許文献１）。
【先行技術文献】
【特許文献】
【０００３】
【特許文献１】特開２０１４−３３４６１号公報
【発明の概要】
【発明が解決しようとする課題】
【０００４】
しかしながら、特許文献１は、絶縁ベース２０へのスキマカバー１８の組み付け時に、スキマカバー１８の溝部１８ａに絶縁ベース２０の鍔部２０ｂをねじ込む必要があり、作業性が低い。さらに、特許文献１では、溝部１８ａが鍔部２０ｂに嵌っていることを目視または感触で確認することができないという不便があった。また、スキマカバー１８を絶縁ベース２０に組み付けた後に両者は溶着される。この状態において、スキマカバー１８はアンテナケース１０および絶縁ベース２０に密着しているため、例えばメンテナンスの際にスキマカバー１８を絶縁ベース２０から取り外すのが困難である。
【０００５】
本発明は、そのような課題に鑑みてなされたものであり、車両のルーフ上に装着するアンテナ装置において、組み付けの作業性及びメンテナンスの作業性の良好なアンテナ装置を提供することを目的とする。
【課題を解決するための手段】
【０００６】
本発明の一実施形態によるアンテナ装置は、周縁部に間隔をおいて設けられた複数の第１嵌合部を有するアンテナベースと、前記アンテナベースに固定されたアンテナケースと、前記アンテナベース及び前記アンテナケースによって囲まれた空間に配置されたアンテナ部と、前記周縁部に配置され前記複数の第１嵌合部と嵌合する複数の第２嵌合部を有するカバー部材と、を備える。
【０００７】
前記カバー部材は、弾性を有してもよい。
【０００８】
前記複数の第１嵌合部の各々は、凹形状部を含み、前記複数の第２嵌合部の各々は、前記凹形状部と嵌合する柱状部を含んでもよい。
【０００９】
前記カバー部材は、前記周縁部に配置され、前記複数の第２嵌合部の各々の前記柱状部の一方に接続された脚部と、前記複数の第２嵌合部の各々の前記柱状部の他方を連結する連結部と、をさらに有してもよい。
【００１０】
前記第１嵌合部は、前記第２嵌合部を係止してもよい。
【００１１】
前記凹形状部は、前記第２嵌合部を前記第１嵌合部に押し込む第１方向において、前記凹形状部の凹部の幅が位置によって異なる形状を有してもよい。
【００１２】
前記柱状部は、前記第２嵌合部を前記第１嵌合部に押し込む第１方向において、前記柱状部の幅が位置によって異なる形状を有してもよい。
【００１３】
前記アンテナベースは、前記カバー部材を係止し、前記アンテナベースの前記周縁部は、前記第１方向において、前記アンテナベースの断面視における厚さが位置によって異なる形状を有し、前記脚部と前記連結部との間隔は、前記第１方向において、位置によって異なってもよい。
【００１４】
前記複数の第１嵌合部の各々は、凸形状部を含み、前記複数の第２嵌合部の各々は、前記凸形状部と嵌合する凹形状部又は前記凸形状部と嵌合し前記カバー部材を貫通する貫通孔を含んでもよい。
【００１５】
前記第１嵌合部は、前記第２嵌合部を係止してもよい。
【００１６】
前記凹形状部又は前記貫通孔は、前記第２嵌合部を前記第１嵌合部に押し込む第１方向において、前記凹形状部の凹部の幅又は前記貫通孔の孔部の幅が位置によって異なる形状を有してもよい。
【００１７】
前記凸形状部は、前記第２嵌合部を前記第１嵌合部に押し込む第１方向において、前記凸形状部の幅が位置によって異なる形状を有してもよい。
【００１８】
前記アンテナケースは、前記第１嵌合部と前記第２嵌合部との嵌合が外れることを抑制するリブを有してもよい。
【００１９】
前記リブは、前記第２嵌合部を基準として前記第１嵌合部の反対側に配置されていてもよい。
【００２０】
前記アンテナベースと前記アンテナケースとが固定される位置は、前記第１嵌合部と前記第２嵌合部とが嵌合する位置よりも前記アンテナベースの内側であってもよい。
【発明の効果】
【００２１】
本発明によれば、組み付けの作業性及びメンテナンスの作業性の良好なアンテナ装置を提供することができる。
【図面の簡単な説明】
【００２２】
【図１】本発明の一実施形態に係るアンテナ装置の外観を示す斜視図である。
【図２】本発明の一実施形態に係るアンテナ装置におけるアンテナベースの斜視図である。
【図３】本発明の一実施形態に係るアンテナ装置におけるカバー部材の斜視図である。
【図４】本発明の一実施形態に係るアンテナ装置において、アンテナベースの嵌合部及びカバー部材の嵌合部の嵌合前の上面図である。
【図５】本発明の一実施形態に係るアンテナ装置において、アンテナベースの嵌合部及びカバー部材の嵌合部の嵌合後の上面図である。
【図６】図５のＡ−Ａ’断面図である。
【図７】本発明の一実施形態に係るアンテナ装置において、カバー部材の嵌合部とアンテナケースのリブとの位置関係を示す側面図である。
【図８】図７のＢ−Ｂ’断面図である。
【図９】本発明の一実施形態の変形例に係るアンテナ装置において、アンテナベースの嵌合部及びカバー部材の嵌合部の嵌合前の上面図である。
【図１０】本発明の一実施形態の変形例に係るアンテナ装置において、アンテナベースの嵌合部及びカバー部材の嵌合部の嵌合前の上面図である。
【図１１】本発明の一実施形態の変形例に係るアンテナ装置において、アンテナベースの嵌合部及びカバー部材の嵌合部の嵌合前の上面図である。
【図１２】本発明の一実施形態に係るアンテナ装置におけるアンテナベースの斜視図である。
【図１３】本発明の一実施形態に係るアンテナ装置におけるカバー部材の斜視図である。
【図１４】本発明の一実施形態に係るアンテナ装置において、アンテナベースの嵌合部及びカバー部材の嵌合部の嵌合前の上面図である。
【発明を実施するための形態】
【００２３】
以下、図面を参照して本発明に係るアンテナ装置について説明する。但し、本発明のアンテナ装置は多くの異なる態様で実施することが可能であり、以下に示す実施の形態の記載内容に限定して解釈されるものではない。なお、本実施の形態で参照する図面において、同一部分または同様な機能を有する部分には同一の符号を付し、その繰り返しの説明は省略する。また、説明の便宜上、上方又は下方という語句を用いて説明するが、上方又は下方はそれぞれアンテナ装置を車両に装着した状態における向きを示す。また、同様に、前方又は後方という語句を用いて説明するが、前方は車両の前進方向を示し、後方は車両の後進方向を示す。また、同様に、横方向という語句を用いて説明するが、横方向は車両の進行方向に対して直交する方向を示す。
【００２４】
〈実施形態１〉
図１乃至図８を用いて、本発明の実施形態１に係るアンテナ装置について説明する。本発明の実施形態１に係るアンテナ装置１０は、車両のルーフ上に装着されるアンテナ装置であり、車両の前方ほど細くなる流線型のシャークフィンアンテナと呼ばれるアンテナ装置である。以下の実施形態では、車両のルーフに装着するアンテナ装置について説明するが、アンテナ装置を装着する箇所は車両のルーフに限定されない。例えば、以下の実施形態で説明するアンテナ装置は車両ルーフ以外にもスポイラー、トランクカバー等に装着することができる。
【００２５】
［アンテナ装置の概要］
まず、図１を用いて、アンテナ装置構成の概略を説明する。アンテナ装置に含まれる各パーツの構成については、後で詳しく説明する。図１は、本発明の一実施形態に係るアンテナ装置の外観を示す斜視図である。なお、図１は説明の便宜上アンテナケース１００をアンテナベース２００から取り外した状態を示す図である。図１に示すように、アンテナ装置１０は、アンテナケース１００、アンテナベース２００、アンテナ部３００、及びカバー部材４００を有する。アンテナケース１００は、アンテナ部３００を覆ってアンテナベース２００に固定される。アンテナケース１００及びアンテナベース２００は、外部からの圧力、衝撃、水分、及びゴミなどからアンテナ部３００を保護する。アンテナ部３００はアンテナベース２００に固定されている。カバー部材４００は、アンテナ装置１０を装着する車両のルーフとアンテナケース１００との間に配置されている。カバー部材４００は、両者の間隔を保持し、アンテナケースと車両ルーフとの間の隙間を目隠しする。詳細は後述するが、カバー部材４００は複数の箇所においてアンテナベース２００に嵌め合わせられている（嵌合している）。
【００２６】
［アンテナベースの構成］
図２を用いて、アンテナ装置１０に用いるアンテナベース２００の構成について詳しく説明する。図２は、本発明の一実施形態に係るアンテナ装置におけるアンテナベースの斜視図である。図２に示すように、アンテナベース２００は、周縁部２１０、第１嵌合部２２０、周壁部２３０、開口部２４０、及びアンテナ設置部２５０を有する。アンテナベース２００として、電波透過性の合成樹脂が用いられる。アンテナベース２００は、アンテナ部３００を保持可能な程度の剛性を有していることの好ましい。
【００２７】
周縁部２１０は、アンテナベース２００の外周付近に設けられた平板状の領域である。ここでは、周壁部２３０よりも外側の領域を周縁部２１０という。
【００２８】
第１嵌合部２２０は、周縁部２１０の外周に設けられており、周縁部２１０の外周から内側に凹んだ凹形状部を含む。ここで、凹形状部を第１嵌合部２２０ということもでき、凹形状部及びその周辺の周縁部を併せて第１嵌合部２２０ということもできる。第１嵌合部２２０は、互いに間隔をおいて複数設けられている。図２に示すように、第１嵌合部２２０は、周縁部２１０のうち、その曲率半径が小さい領域である周縁部２１２、２１４、及び周縁部２１０に設けられている（第１嵌合部２２２、２２４、２２６）。第１嵌合部２２０が上記の位置に設けられることで、カバー部材４００の第１嵌合部２２０からの脱離を抑制する効果が向上する。ただし、第１嵌合部２２０の設けられる位置は上記の位置に限定されず、その他の領域に設けられてもよい。第１嵌合部２２０は周縁部２１０の下面と上面とを貫通するように設けられているが、必ずしも貫通している必要はない。
【００２９】
周壁部２３０は、周縁部２１０とアンテナ設置部２５０との間に配置されており、周縁部２１０及びアンテナ設置部２５０に対して上方に突出している。周壁部２３０はアンテナケース１００の一部と接触可能な位置に配置されている。アンテナケース１００とアンテナベース２００とを重ね合せた状態で、アンテナベース２００の下方から周壁部２３０付近の周縁部２１０に対してレーザ照射を行うことで、周縁部２１０と周縁部２１０に接触するアンテナケース１００の一部とが溶着する。つまり、周壁部２３０付近の周縁部２１０はアンテナケース１００とアンテナベース２００との固定部として機能する。なお、レーザ照射によって周壁部２３０の一部と周壁部２３０に接触するアンテナケース１００の一部とが溶着されてもよい。周壁部２３０とアンテナケース１００の一部とが溶着することで、外部からの水分やゴミなどの異物がアンテナ設置部２５０に侵入することが抑制される。上記の構成を換言すると、レーザ照射によってアンテナケース１００とアンテナベース２００とが溶着される領域（固定部位）は、第１嵌合部２２０および後に説明する第２嵌合部４１０よりもアンテナベース２００の内側に位置している。
【００３０】
開口部２４０は、周壁部２３０よりも内側のアンテナベース２００に設けられており、アンテナベース２００の下面と上面とを貫通する。開口部２４０を介して、アンテナ部３００に電源を供給する電源線、及びアンテナ部３００からの信号を伝達する信号線などの配線が車両に供給される。図示しないが、開口部２４０の内周部には、外部からの水分やゴミなどの異物がアンテナ設置部２５０に侵入することを抑制するリング状シールが設けられる。
【００３１】
アンテナ設置部２５０は、周壁部２３０よりも内側に設けられた平板状の領域であり、アンテナ部３００が設置される。図示しないが、アンテナ設置部２５０はアンテナ部３００を固定可能な固定部を有していてもよい。
【００３２】
［カバー部材４００の構成］
図３を用いて、アンテナ装置１０に用いるカバー部材４００の構成について詳しく説明する。図３は、本発明の一実施形態に係るアンテナ装置におけるカバー部材の斜視図である。発明の一実施形態に係るアンテナ装置におけるカバー部材の側面図である。図３に示すように、カバー部材４００は、第２嵌合部４１０、第１脚部４２０、第２脚部４３０、及び連結部４４０を有する。ここで、カバー部材４００は弾性を有している。例えば、カバー部材４００としては、ゴムなどの弾性を有する樹脂材料を用いることができる。また、カバー部材４００の各々のパーツは一体形成されていてもよく、個別に形成された各パーツが接合又は接着されていてもよい。
【００３３】
第２嵌合部４１０は、第１嵌合部２２０に対応する位置に設けられており、第１脚部４２０から上方に向かって延びる柱状部を含む。ここで、柱状部を第２嵌合部４１０ということもでき、柱状部及びその周辺の第１脚部４２０及び連結部４４０を併せて第２嵌合部４１０ということもできる。第２嵌合部４１０は、第１嵌合部２２０の凹形状部に対応する位置に、互いに間隔をおいて複数設けられている。
【００３４】
第１脚部４２０は、第２嵌合部４１０の下方に配置されており、第２嵌合部４１０の一方に接続されている。第２脚部４３０は、第１脚部４２０の下方に配置されており、第１脚部４２０を支持する。図３に示すように、第２脚部４３０は第１脚部４２０に比べて薄く、外側に延びている。また、第２脚部４３０は第１脚部４２０に比べて車両のルーフに対する傾斜角度が小さい。上記の第１脚部４２０および第２脚部４３０の形状によって、車両ルーフへの追随性が高くなるため、車両ルーフとアンテナ装置１０との間に隙間が生じにくくなる。
【００３５】
連結部４４０は、第２嵌合部４１０の上方に配置されており、第２嵌合部４１０の他方に接続されている。図３に示すように、連結部４４０は環状に配置されており、第１脚部４２０上に配置された全ての第２嵌合部４１０を連結するように配置されている。ただし、連結部４４０は全ての第２嵌合部４１０を連結していなくてもよく、少なくとも２以上の第２嵌合部４１０を連結していればよい。つまり、連結部４４０は環状ではなくてもよい。また、図３では、連結部４４０は第２嵌合部４１０の上端を連結する構成を例示したが、この構成に限定されない。例えば、連結部４４０は第２嵌合部４１０の下端と上端との間の箇所を連結していてもよい。
【００３６】
［第１嵌合部２２０及び第２嵌合部４１０の形状］
図４及び図５を用いて、アンテナベース２００の第１嵌合部２２０及びカバー部材４００の第２嵌合部４１０の形状について詳しく説明する。図４及び図５は、本発明の一実施形態に係るアンテナ装置において、アンテナベースの嵌合部及びカバー部材の嵌合部の嵌合前及び嵌合後の上面図である。なお、図４及び図５において、説明の便宜上、カバー部材４００の連結部４４０は点線で描かれており、第１脚部４２０及び第２脚部４３０は省略されている。以下の説明において、第２嵌合部４１０を第１嵌合部２２０に押しこむ方向をＤ１方向と定義する。
【００３７】
図４に示すように、上面視において、第１嵌合部２２０は周縁部２１０の外周から内部に向けて幅が広がる形状を有している。つまり、上面視において、第１嵌合部２２０の開口端部の幅Ｌ２に比べて開口底部の幅Ｌ１の方が大きい。換言すると、第１嵌合部２２０の凹型形状部は、Ｄ１方向において、凹型形状部の凹部の幅が位置によって異なる形状を有している、ということができる。第１嵌合部２２０は、その開口端部から開口底部にかけてＤ１方向に対して傾斜を有しており、幅Ｌ２から幅Ｌ１にかけて幅が徐々に大きくなっている。
【００３８】
上面視において、第２嵌合部４１０は、カバー部材４００の外周から内周に向けて幅が広がる形状を有している。つまり、上面視において、第２嵌合部４１０の外周端部の幅Ｌ４に比べて内周端部の幅Ｌ３の方が大きい。換言すると、第２嵌合部４１０の柱状部は、Ｄ１方向において、柱状部の幅が位置によって異なる形状を有している、ということもできる。第２嵌合部４１０は、その外周端部から内周端部にかけてＤ１方向に対して傾斜を有しており、幅Ｌ４から幅Ｌ３にかけて幅が徐々に大きくなっている。
【００３９】
ここで、幅Ｌ２に比べて幅Ｌ３の方が大きい。つまり、第２嵌合部４１０と第１嵌合部２２０とを嵌合するためには、第２嵌合部４１０をＤ１方向に押圧する必要がある。第２嵌合部４１０をＤ１方向に押圧することで、第２嵌合部４１０の一部が弾性変形して第２嵌合部４１０と第１嵌合部２２０とが嵌合する。また、図５に示すように、第１嵌合部２２０と第２嵌合部４１０とが嵌合すると、第２嵌合部４１０は第１嵌合部２２０と係止し、第２嵌合部４１０の第１嵌合部２２０からの脱離が抑制される。
【００４０】
［アンテナベース２００及びカバー部材４００の断面形状］
図６を用いて、第２嵌合部４１０と第１嵌合部２２０とが嵌合した状態における、アンテナベース２００の周縁部２１０、第１脚部４２０及び連結部４４０の断面形状について詳しく説明する。図６は、図５のＡ−Ａ’断面図である。Ａ−Ａ’断面は、隣接する第１嵌合部２２０及び第２嵌合部４１０の間の領域において、アンテナベース２００及びカバー部材４００をＤ１方向に切断した断面である。
【００４１】
図６に示すように、アンテナベース２００の周縁部２１０は、第２嵌合部４１０を貫通している。周縁部２１０は、内部又は周壁部２３０側から外周に向かって、断面視における厚さが徐々に厚くなっている。つまり、周縁部２１０は、断面視において、外周の厚さＬ５に比べて内側（周壁部２３０側）の厚さＬ６の方が薄い。換言すると、周縁部２１０は、Ｄ１方向において、アンテナベース２００の断面視における厚さが位置によって異なる形状を有する、ということができる。
【００４２】
上記のアンテナベース２００の断面形状に合うように、断面視におけるカバー部材４００の第１脚部４２０と連結部４４０との間隔は外周から内側に向かって、徐々に狭くなっている。つまり、断面視において、連結部４４０の外周端部４４２における第１脚部４２０と連結部４４０との間隔は、連結部４４０の内周端部４４４における第１脚部４２０と連結部４４０との間隔に比べて大きい。換言すると、第１脚部４２０と連結部４４０との間隔は、Ｄ１方向において、位置によって異なる、ということができる。なお、第２嵌合部４１０と第１嵌合部２２０とが嵌合した状態において、カバー部材４００はアンテナベース２００に係止している。
【００４３】
［アンテナケース１００のリブ（突出部）形状］
図７及び図８を用いて、アンテナケース１００に配置された突出部の形状について詳しく説明する。以降の説明において、アンテナケース１００からその内部に向かって延びる突出部をリブ１１０という。図７は、本発明の一実施形態に係るアンテナ装置において、カバー部材の嵌合部とアンテナケースのリブとの位置関係を示す側面図である。図８は、図７のＢ−Ｂ’断面図である。説明の便宜上、図７はアンテナケース１００がアンテナベース２００に固定されておらず、アンテナベース２００の上方にやや浮いた状態を示す。一方、図８はアンテナケース１００がアンテナベース２００に固定された状態を示す。
【００４４】
図７に示すように、アンテナケース１００は、第１嵌合部２２０及び第２嵌合部４１０に対応する位置に平板形状のリブ１１０を有している。リブ１１０は、第１嵌合部２２０と第２嵌合部４１０との嵌合が外れることを抑制する。図８に示すように、リブ１１０はアンテナケース１００の外周壁１２０からアンテナケース１００の内側に向かって延在する突出部である。リブ１１０は、第２嵌合部４１０を基準としてアンテナベース２００の反対側に配置されている。ここで、図７及び図８では、リブ１１０が平板形状である構成を例示したが、この構成に限定されない。例えば、リブ１１０は方形形状、棒形状、球形状、外周壁１２０から放物線を描く突出形状であってもよい。また、図７及び図８では、リブ１１０は第１嵌合部２２０及び第２嵌合部４１０に対応する位置に配置された構成を例示したが、この構成に限定されない。例えば、リブ１１０は第１嵌合部２２０及び第２嵌合部４１０とは異なる位置に配置されていてもよい。
【００４５】
以上のように、本発明の実施形態１に係るアンテナ装置１０によると、第１嵌合部２２０が凹形状部を含み、第２嵌合部４１０が柱状部を含むことで、柱状部を指等で押圧することで凹形状部に嵌合させることができる。したがって、上記の取り付け作業の効率をより向上させることができる。さらに、アンテナベース２００およびカバー部材４００が上記の構成を有することで、上面から見た場合における第１嵌合部２２０および第２嵌合部４１０の幅を小さくすることができる。したがって、アンテナベース２００の内部空間（周壁部２３０によって囲まれた領域）を広くすることができる。また、アンテナケース１００とアンテナベース２００とが溶着された後であっても、カバー部材４００の下端縁を引っ張ると第２嵌合部４１０の柱状部が千切れるため、カバー部材４００をアンテナベース２００から容易に取り外すことができる。また、カバー部材４００が弾性を有することで、カバー部材４００をアンテナベース２００に取り付ける際にカバー部材４００の弾性変形を利用することができる。その結果、上記の取り付け作業の効率を向上させることができる。また、複数の柱状部が連結部によって連結されていることで、柱状部の形状を維持することができる。つまり、柱状部が傾く又は倒れることを抑制することができるため、上記の取り付け作業性を向上させることができる。
【００４６】
アンテナベース２００の周縁部２１０が第２嵌合部４１０を貫通していることで、作業者は第２嵌合部４１０と第１嵌合部２２０との嵌合を目視で確認することができる。Ｄ１方向において、第１嵌合部２２０の凹形状部の凹部の幅及び第２嵌合部４１０の柱状部の幅が位置によって異なることで、アンテナベース２００からカバー部材４００が意図せず脱離することを抑制することができる。さらに、第１嵌合部２２０に第２嵌合部４１０を嵌合する際に、嵌合して係止状態になったことを作業者に触感として得ることができる。つまり、作業者は指から伝わる感触から第２嵌合部４１０が第１嵌合部２２０と嵌合したことを知ることができる。また、アンテナベース２００がカバー部材４００を係止し、周縁部２１０の厚さ及び第１脚部４２０と連結部４４０との間隔が位置によって異なることで、第１嵌合部２２０と第２嵌合部４１０とが嵌合する以外の箇所においても、アンテナベース２００からカバー部材４００が意図せず脱離することを抑制することができる。
【００４７】
また、アンテナケース１００にリブ１１０が設けられていることで、アンテナベース２００からカバー部材４００が意図せず脱離することを抑制することができる。
【００４８】
〈実施形態１の変形例〉
図９乃至図１１を用いて、本発明の実施形態１の変形例に係るアンテナ装置について説明する。図９乃至図１１では、第１嵌合部２２０及び第２嵌合部４１０の形状が図４に示す形状とは異なる例について説明する。図９乃至図１１は、本発明の一実施形態の変形例に係るアンテナ装置において、アンテナベースの嵌合部及びカバー部材の嵌合部の嵌合前の上面図である。
【００４９】
図９に示すように、第１嵌合部２２０Ａは、周縁部２１０Ａの外周領域の幅に比べて内部の幅が大きいＴ字形状を有している。図４に示す第１嵌合部２２０とは異なり、図９に示す第１嵌合部２２０Ａは、Ｄ１方向のある点で幅が急激に変化している。また、第２嵌合部４１０Ａも第１嵌合部２２０Ａと同様の形状を有している。図９に示す第１嵌合部２２０Ａと第２嵌合部４１０Ａとが嵌合すると、第１嵌合部２２０Ａの第１係止部２２２Ａと第２嵌合部４１０Ａの第２係止部４１２Ａとが係止する。第１係止部２２２Ａ及び第２係止部４１２Ａは嵌合が外れる方向（Ｄ１方向の逆）に対して角度が大きい（９０°に近い角度になっている）。したがって、アンテナベース２００からのカバー部材４００の脱離抑制効果をより高めることができる。
【００５０】
図１０及び図１１に示すように、第１嵌合部２２０及び第２嵌合部４１０のいずれか一方（図１０の場合は第１嵌合部２２０Ｂ、図１１の場合は第２嵌合部４１０Ｃ）がＤ１方向において位置によって異なる幅を有していればよい。つまり、第１嵌合部２２０及び第２嵌合部４１０の他方（図１０の場合は第２嵌合部４１０Ｂ、図１１の場合は第１嵌合部２２０Ｃ）はＤ１方向において同じ幅を有していてもよい。ここで、第１嵌合部２２０Ｂの開口端部の幅Ｌ２Ｂよりも第２嵌合部４１０Ｂの内周端部の幅Ｌ３Ｂの方が大きい。また、第１嵌合部２２０Ｃの開口端部の幅Ｌ２Ｃよりも第２嵌合部４１０Ｃの内周端部の幅Ｌ３Ｃの方が大きい。第２嵌合部４１０Ｂ及び４１０Ｃは弾性変形しながら第１嵌合部２２０Ｂ及び２２０Ｃと嵌合し、両者が嵌合した状態で変形状態から復元しようとする。これによって、第２嵌合部４１０Ｂ、４００Ｃは第１嵌合部２２０Ｂ、２２０Ｃと係止する。
【００５１】
〈実施形態２〉
図１２乃至図１４を用いて、本発明の実施形態２に係るアンテナ装置について説明する。本発明の実施形態２に係るアンテナ装置２０は、実施形態１のアンテナ装置１０と同様に、車両ルーフ上に装着されるアンテナ装置である。アンテナ装置２０はアンテナ装置１０と同様に、車両ルーフ以外にもスポイラー、トランクカバー等に装着することができる。
【００５２】
［アンテナベース５００の構成］
図１２を用いて、アンテナ装置２０に用いるアンテナベース５００の構成について詳しく説明する。図１２は、本発明の一実施形態に係るアンテナ装置におけるアンテナベースの斜視図である。アンテナベース５００は図２に示すアンテナベース２００と類似しているが、アンテナベース５００の第１嵌合部５２０の形状がアンテナベース２００の第１嵌合部２２０の形状と相違する。以下の説明では、この相違点を中心について説明する。
【００５３】
図１２に示すように、アンテナベース５００は、周縁部５１０、第１嵌合部５２０、第１周壁部５３０、開口部５４０、及びアンテナ設置部５５０を有する。ここで、周縁部５１０、第１周壁部５３０、開口部５４０、及びアンテナ設置部５５０はアンテナベース２００に示す各パーツと同様の形状及び機能を有するため、説明を省略する。
【００５４】
第１嵌合部５２０は、周縁部５１０の外周に設けられており、周縁部５１０の外周から外側に突出した凸形状部を含む。ここで、凸形状部を第１嵌合部５２０ということもでき、凸形状部及びその周辺の周縁部を第１嵌合部５２０ということもできる。第１嵌合部５２０は、互いに間隔をおいて複数設けられている。第１嵌合部５２０は、図２に示す第１嵌合部２２０と同様の位置に配置することができる。ただし、第１嵌合部５２０の設けられる位置は第１嵌合部２２０と同様の位置に限定されず、その他の領域に設けられてもよい。
【００５５】
［カバー部材６００の構成］
図１３を用いて、アンテナ装置２０に用いるカバー部材６００の構成について詳しく説明する。図１３は、本発明の一実施形態に係るアンテナ装置におけるカバー部材の斜視図である。カバー部材６００は図３に示すカバー部材４００と類似しているが、カバー部材６００の第２嵌合部６１０の形状がカバー部材４００の第２嵌合部４１０の形状と相違する。以下の説明では、この相違点を中心について説明する。
【００５６】
図１３に示すように、カバー部材６００は、第２嵌合部６１０、第１脚部６２０、第２脚部６３０、及び第２周壁部６４０を有する。カバー部材６００はカバー部材４００と同様に弾性を有している。第１脚部６２０は第２脚部６３０の上方に配置されている。第１脚部６２０および第２脚部６３０は、それぞれ図３の第１脚部４２０および第２脚部４３０に対応する部材である。
【００５７】
第２周壁部６４０は、第１脚部６２０の上方に配置されており、第２周壁部６４０の一部に第２嵌合部６１０が設けられている。第２嵌合部６１０は、第１嵌合部５２０に対応する位置に設けられており、第１嵌合部５２０の凸形状部と嵌合する。第２嵌合部６１０は、第２周壁部６４０の内側と外側とを貫通する貫通孔を含む。ここで、貫通孔を第２嵌合部６１０ということもでき、貫通孔及びその周辺の第２周壁部６４０を第２嵌合部６１０ということもできる。第２嵌合部６１０の上方、つまり貫通孔の上のカバー部材６００は、他の領域よりも細い。この形状によって、アンテナケース１００とアンテナベース２００とが溶着された後であっても、カバー部材６００の下端縁を引っ張ると貫通孔の上のカバー部材６００が千切れるため、カバー部材６００をアンテナベース２００から容易に取り外すことができる。実施形態１のアンテナ装置１０と同様に、周壁部５３０付近の周縁部５１０に対してレーザ照射を行うことで、アンテナケース１００とアンテナベース５００とを溶着する。つまり、レーザ照射によってアンテナケース１００とアンテナベース５００とが溶着される領域（固定部位）は、第１嵌合部５２０および第２嵌合部６１０よりもアンテナベース５００の内側に位置している。
【００５８】
図１３では、第２嵌合部６１０が貫通孔を含む構成を例示したが、この構成に限定されない。例えば、貫通孔に代わり、第２周壁部６４０の内周側に有底孔（凹形状部）が設けられていてもよい。
【００５９】
［第１嵌合部５２０及び第２嵌合部６１０の形状］
図１４を用いて、アンテナベース５００の第１嵌合部５２０及びカバー部材６００の第２嵌合部６１０の形状について詳しく説明する。図１４は、本発明の一実施形態に係るアンテナ装置において、アンテナベースの嵌合部及びカバー部材の嵌合部の嵌合前の上面図である。なお、図１４において、説明の便宜上、カバー部材６００の第２嵌合部６１０は点線で描かれている。
【００６０】
図１４に示すように、上面視において、第１嵌合部５２０は周縁部５１０の外周からさらに外側に向けて幅が広がる形状を有している。つまり、上面視において、第１嵌合部５２０の根本部の幅Ｌ９に比べて先端部の幅Ｌ８の方が大きい。換言すると、第１嵌合部５２０の凸型形状部は、Ｄ１方向において、凸型形状部の幅が位置によって異なる形状を有している、ということができる。第１嵌合部５２０は、その根本部から先端部にかけてＤ１方向に対して傾斜を有しており、幅Ｌ９から幅Ｌ８にかけて幅が徐々に大きくなっている。
【００６１】
上面視において、第２嵌合部６１０は、第２周壁部６４０の外周から内周に向けて幅が狭まる形状を有している。つまり、上面視において、第２嵌合部６１０の外周端部の幅Ｌ１０に比べて内周端部の幅Ｌ１１の方が小さい。換言すると、第２嵌合部６１０の貫通孔（又は凹形状部）は、Ｄ１方向において、孔部（又は凹部）の幅が位置によって異なる形状を有している、ということもできる。第２嵌合部６１０は、その外周端部から内周端部にかけてＤ１方向に対して傾斜を有しており、幅Ｌ１０から幅Ｌ１１にかけて幅が徐々に小さくなっている。
【００６２】
ここで、幅Ｌ１１に比べて幅Ｌ８の方が大きい。つまり、第２嵌合部６１０を第１嵌合部５２０と嵌合するためには、第２嵌合部６１０をＤ１方向に押圧する必要がある。第２嵌合部６１０をＤ１方向に押圧することで、第２嵌合部６１０の一部が弾性変形して第２嵌合部６１０と第１嵌合部５２０とが嵌合する。また、図１４に示すように、第１嵌合部５２０と第２嵌合部６１０とが嵌合すると、第２嵌合部６１０は第１嵌合部５２０に係止し、第２嵌合部６１０の第１嵌合部５２０からの脱離が抑制される。
【００６３】
以上のように、本発明の実施形態２に係るアンテナ装置２０によると、第１嵌合部５２０が凸形状部を含み、第２嵌合部６１０が貫通孔を含むことで、作業者は貫通孔付近を指等で押圧することで凸形状部に嵌合させることができ、第１嵌合部５２０と第２嵌合部６１０との嵌合を目視で確認することができる。したがって、上記の取り付け作業の効率を向上させることができる。さらに、アンテナベース５００およびカバー部材６００が上記の構成を有することで、上面から見た場合における第１嵌合部５２０および第２嵌合部６１０の幅を小さくすることができる。したがって、アンテナベース５００の内部空間（周壁部５３０によって囲まれた領域）を広くすることができる。また、第２周壁部６４０の一部の領域に貫通孔が設けられた構成であることで、カバー部材６００の機械的な強度を向上させることができる。
【００６４】
なお、本発明は上記の実施形態に限られたものではなく、趣旨を逸脱しない範囲で適宜変更することが可能である。
【符号の説明】
【００６５】
１０、２０：アンテナ装置、    １００：アンテナケース、    １１０：リブ、    １２０：外周壁、    ２００、５００：アンテナベース、    ２１０、２１２、２１４、５１０：周縁部、    ２２０、２２２、２２４、２２６、５２０：第１嵌合部、    ２３０、５３０：周壁部、    ２４０、５４０：開口部、    ２５０、５５０：アンテナ設置部、    ３００：アンテナ部、    ４００、６００：カバー部材、    ４１０、６１０：第２嵌合部、    ４１２Ａ：第２係止部、    ４２０、６２０：第１脚部、    ４３０、６３０：第２脚部、    ４４０：連結部、    ６４０：第２周壁部
【図１】
2018113596.tif 000003
【図２】
2018113596.tif 000004
【図３】
2018113596.tif 000005
【図４】
2018113596.tif 000006
【図５】
2018113596.tif 000007
【図６】
2018113596.tif 000008
【図７】
2018113596.tif 000009
【図８】
2018113596.tif 000010
【図９】
2018113596.tif 000011
【図１０】
2018113596.tif 000012
【図１１】
2018113596.tif 000013
【図１２】
2018113596.tif 000014
【図１３】
2018113596.tif 000015
【図１４】
2018113596.tif 000016